(57)【要約】【課題】樹脂製の遊技板に取り付けられた遊技釘を折れ難くすることが出来る、新規な構造のパチンコ機を提供することを、目的とする。【解決手段】遊技釘４２において遊技板２６に形成されたガイド穴４４に差し込まれる差込部分に対して遊技釘４２のガイド穴４４からの抜けを防止する抜止加工部５２を形成すると共に、かかる抜止加工部５２の先端に対して、抜止加工部５２よりも小径とされて、略一定の断面形状でストレートに延びるストレート部５４を形成した。【選択図】図５
2007105307.tif 000002
【特許請求の範囲】
【請求項１】
樹脂製の遊技板の表面に多数本の遊技釘が取り付けられた遊技盤を備えるパチンコ機において、
前記遊技板に形成されたガイド穴に前記遊技釘が差し込まれることで該遊技釘が該遊技板に取り付けられるようになっており、該遊技釘において該ガイド穴に差し込まれる差込部分に対して該遊技釘の該ガイド穴からの抜けを防止する抜止加工部が形成されていると共に、該抜止加工部の先端に対して、該抜止加工部よりも小径とされて、略一定の断面形状でストレートに延びるストレート部が形成されていることを特徴とするパチンコ機。
【請求項２】
前記ガイド穴が段付き穴とされていると共に、その大径部が前記遊技板の裏面に開口せしめられており、該ガイド穴に前記遊技釘が差し込まれた状態下において、前記ストレート部が該大径部内に位置せしめられている請求項１に記載のパチンコ機。
【発明の詳細な説明】
【技術分野】
【０００１】
本発明は、樹脂製の遊技板の表面に多数本の遊技釘が取り付けられた遊技盤を備えるパチンコ機に関するものである。
【背景技術】
【０００２】
近年、パチンコ機においては、始動入賞口への遊技球の入賞に基づいて行われる抽選の結果等が表示される液晶表示器の表示画面が大型化してきており、液晶表示器の表示画面が遊技領域に占める割合が大きくなってきている。その結果、遊技領域において遊技領域に設けられた遊技釘に衝突しながら遊技球が流下する領域が少なくなってきている。
【０００３】
そこで、特許文献１に記載されているように、透明な樹脂製の遊技板を備えた遊技盤を採用し、その裏側に液晶表示器を設けて、透明な遊技板を通して液晶表示器の表示画面が遊技者に視認されるようにしたパチンコ機が提案されている。
【０００４】
ところで、上述の如き透明な樹脂製の遊技板に取り付けられた遊技釘は、従来のラワン合板によって形成された遊技板に打ち込まれた遊技釘に比して、耐久性が低く、例えば、遊技領域を流下する遊技球が衝突した際に、或いは、傾斜方向や傾斜角度等を所定の道具を用いて調節した際において、遊技板の表面付近で折れやすいという問題があった。これは、透明な樹脂製の遊技板が、ラワン合板によって形成された遊技板に比して、柔軟性に劣り、遊技釘に外力が及ぼされた際に、遊技釘における遊技板への挿入部分の変位が許容されないことに起因すると考えられる。
【０００５】
それ故、上述の如き問題に対処するための方策が求められているのである。
【０００６】
【特許文献１】特開平１１−７６５１７号公報
【発明の開示】
【発明が解決しようとする課題】
【０００７】
ここにおいて、本発明は、上述の如き事情を背景として為されたものであって、その解決課題とするところは、樹脂製の遊技板に取り付けられた遊技釘を折れ難くすることが出来る、新規な構造のパチンコ機を提供することにある。
【課題を解決するための手段】
【０００８】
以下、このような課題を解決するために為された本発明の態様を記載する。なお、以下に記載の各態様において採用される構成要素は、可能な限り任意の組み合わせで採用可能である。また、本発明の態様乃至は技術的特徴は、以下に記載のものに限定されることなく、明細書全体に記載されたもの、或いはそれらの記載から当業者が把握することが出来る発明思想に基づいて認識されるものであることが理解されるべきである。
【０００９】
本発明の第一の態様は、樹脂製の遊技板の表面に多数本の遊技釘が取り付けられた遊技盤を備えるパチンコ機において、前記遊技板に形成されたガイド穴に前記遊技釘が差し込まれることで該遊技釘が該遊技板に取り付けられるようになっており、該遊技釘において該ガイド穴に差し込まれる差込部分に対して該遊技釘の該ガイド穴からの抜けを防止する抜止加工部が形成されていると共に、該抜止加工部の先端に対して、該抜止加工部よりも小径とされて、略一定の断面形状でストレートに延びるストレート部が形成されていることを、特徴とする。
【００１０】
このような本態様に従う構造とされたパチンコ機においては、遊技釘における差込部分に形成された抜止加工部の先端に対して、抜止加工部よりも小径なストレート部が形成されていることから、ストレート部の外径寸法とガイド穴の内径寸法を適当に設定することによって、ガイド穴の内周面とストレート部の外周面との間に隙間を形成することが可能となる。
【００１１】
これにより、遊技釘が差込部分に形成された抜止加工部だけで遊技板に対して実質的に拘束固定され得ることとなる。その結果、遊技板によって遊技釘に及ぼされる拘束力が軽減され得ることとなる。
【００１２】
従って、本態様においては、例えば、遊技球が衝突することによって、或いは、釘調整をすることによって、遊技釘に外力が及ぼされた際に、遊技釘が抜止加工部を中心として傾動しやすいようにすることが可能となる。これにより、外力が及ぼされた際の衝撃を吸収することが可能となる。その結果、樹脂製の遊技板に取り付けられた遊技釘を折れ難くすることが可能となる。
【００１３】
また、本態様においては、遊技釘の差込部分において、外力が及ぼされる側に、抜止加工部が形成されていることから、外力が及ぼされた部分から抜止加工部におけるストレート部が形成されたほうとは反対側の端までの離隔距離を短くすることが可能となる。これにより、外力が及ぼされた際に、外力が及ぼされた側で抜止加工部が形成されている部分とそうでない部分との境界に発生する応力を軽減することが可能となる。その結果、樹脂製の遊技板に取り付けられた遊技釘を折れ難くすることが可能となる。
【００１４】
更にまた、本態様においては、抜止加工部よりも小径のストレート部が抜止加工部の先端に形成されていることから、遊技釘をガイド穴に差し込む作業を容易に行うことが可能となる。
【００１５】
なお、本態様において、遊技板は、必ずしも樹脂材料のみによって形成されている必要はなく、例えば、樹脂材料とゴム材料を混ぜ合わせたものによって形成されていても良い。
【００１６】
本発明の第二の態様は、前記第一の態様に係るパチンコ機において、前記ガイド穴が段付き穴とされていると共に、その大径部が前記遊技板の裏面に開口せしめられており、該ガイド穴に前記遊技釘が差し込まれた状態下において、前記ストレート部が該大径部内に位置せしめられていることを、特徴とする。このような本態様に従う構造とされたパチンコ機においては、遊技釘がガイド穴に差し込まれた状態下において、遊技釘に形成されたストレート部が大径部内に位置せしめられていることから、ストレート部がガイド穴によって一層拘束されないようにすることが可能となる。これにより、遊技釘に外力が及ぼされた際に、遊技釘が抜止加工部を中心として一層傾動しやすいようにすることが可能となる。
【００１７】
また、本態様においては、ガイド穴の大径部が遊技板の裏面に開口せしめられていることから、遊技板表面の意匠を良くすることが可能となる。
【発明の効果】
【００１８】
上述の説明から明らかなように、本発明に従う構造とされたパチンコ機においては、遊技釘の差込部分において抜止加工部の先端にストレート部が形成されていることから、ストレート部の外径寸法とガイド穴の内径寸法を適当に設定することにより、遊技釘が遊技板に対して実質的に抜止加工部のみで拘束されているようにすることが可能となる。これにより、遊技板によって遊技釘に及ぼされる拘束力を軽減することが可能となる。その結果、遊技釘に外力が及ぼされた際に、遊技釘が抜止加工部を中心にして傾動しやすいようにすることが可能となる。従って、本態様に従う構造とされたパチンコ機においては、外力が及ぼされた際の衝撃を吸収することが可能となり、その結果、樹脂製の遊技板に取り付けられた遊技釘を折れ難くすることが可能となる。
【発明を実施するための最良の形態】
【００１９】
以下、本発明を更に具体的に明らかにするために、本発明の実施形態について、図面を参照しつつ、詳細に説明する。
【００２０】
先ず、図１には、本発明の第一の実施形態としてのパチンコ機１０が示されている。パチンコ機１０において機体の外郭をなす外枠１２の開口前面側には、縦長方形の中枠１４が開閉及び着脱自在に組み付けられている。この中枠１４には、後述する遊技領域３０を形成する遊技盤１６が着脱自在に組み付けられており、かかる遊技領域３０は、中枠１４に対して開閉可能に組み付けられたガラス枠１８によって保持されているガラス板を通して遊技者に視認されるようになっている。そして、中枠１４に設けられた操作ハンドル２０に対して回動可能に装着された操作レバー２２を遊技者が回動操作することにより、中枠１４に設けられた上皿２４に貯留されている遊技球が、図示しない球送り機構を介して発射装置（図示せず）に送られた後、遊技領域３０に向けて発射されるようになっている。なお、図１では、後述する遊技釘４２の図示は省略してある。
【００２１】
続いて、中枠１４に組み付けられている遊技盤１６について説明する。この遊技盤１６は、図２に示されているように、遊技板２６を備えている。この遊技板２６は、厚肉の矩形平板形状を呈しており、樹脂材料によって形成されている。そこにおいて、本実施形態では、遊技板２６は透明とされており、例えば、ポリメタクリル酸メチル（ＰＭＭＡ）やポリカーボネート（ＰＣ），アクリル樹脂等の樹脂材料や、アクリル樹脂にゴムを混ぜたもの等によって形成されている。因みに、本実施形態では、遊技板２６はアクリル樹脂にゴム材料を１５〜４５％混ぜたものによって形成されている。これにより、遊技板２６の透明度と柔軟性を確保することが可能となる。即ち、ゴム材料が１５％より少ない場合には、遊技板２６の柔軟性を確保することが難しくなってしまい、ゴム材料が４５％より多い場合には、遊技板２６の透明度を確保することが難しくなってしまうからである。そして、このような遊技板２６を採用することにより、後述する遊技釘４２の耐久性を確保することが可能となる。
【００２２】
このような遊技板２６の表面側にレールセット２８が設けられており、かかるレールセット２８によって略円形の遊技領域３０が区画形成されるようになっている。そして、このように形成された遊技領域３０の適当な位置において、始動入賞装置３２や特別可動入賞装置３４等の遊技球が入賞可能な入賞装置や遊技球が通過可能なゲート３６，装飾用のサイド飾り３８等の各種構造物が設けられている。
【００２３】
そこにおいて、本実施形態では、始動入賞装置３２への遊技球の入賞をきっかけとして行われる大当たり抽選の結果を表示する抽選結果表示装置としての液晶表示器４０が、遊技板２６の裏側に設けられている。これにより、液晶表示器４０の表示画面に表示された大当たり抽選の結果が、透明な遊技板２６を通して遊技者に視認されるようになっている。
【００２４】
また、遊技板２６の表面には、上述の如き各種構造物が設けられた箇所以外において、多数本の遊技釘４２が取り付けられている。そして、遊技領域３０に向けて発射された遊技球は、遊技釘４２に衝突しながら、遊技領域３０を流下するようになっている。
【００２５】
なお、本実施形態では、遊技板２６において液晶表示器４０の表示画面の前方に位置する部分にも遊技釘４２が取り付けられている。これにより、遊技球が、液晶表示器４０の表示画面の前方を、遊技釘４２に衝突しながら流下するようになっている。
【００２６】
そこにおいて、遊技釘４２の遊技板２６への取り付けは、以下の如くして、行われるようになっている。先ず、透明な樹脂製の遊技板２６を用意する。透明な樹脂製の遊技板２６は、例えば、圧縮成形等によって有利に形成される。因みに、本実施形態では、遊技板２６の厚さは１０ｍｍとされている。
【００２７】
続いて、遊技板２６において遊技釘４２が打ち込まれる位置にガイド穴としての下穴４４を形成する。この下穴４４は、図３に示されているように、略一定の断面形状で遊技板２６を板厚方向に貫通するように形成されている。
【００２８】
なお、遊技板２６への下穴４４の形成方法としては、金属や木材に貫通穴を形成する場合と同様に、ドリルを用いる方法や、炭酸ガスレーザ等のレーザを用いる方法等が採用され得る。
【００２９】
また、下穴４４は、遊技板２６の板厚方向に延びるように形成されていても良いが、遊技板２６の板厚方向に対して所定方向に所定角度傾斜するように形成されていても良い。因みに、図３では、遊技板２６の板厚方向に延びる下穴４４が示されている。
【００３０】
更にまた、下穴４４の内径寸法は、後述する遊技釘４２に設けられたローレット加工部５２による抜止作用、即ち、遊技釘４２の遊技板２６からの抜けを防止する作用が有効に発揮され得る大きさであれば、特に限定されることはない。因みに、本実施形態では、下穴４４の内径寸法：Ｒ１は１．８５ｍｍとされている。
【００３１】
そして、上述の如き下穴４４に対して、遊技釘４２が差し込まれることで、遊技釘４２が遊技板２６に固定されるようになっている。この遊技釘４２は、図４に示されているように、頭部４６の下側において略一定の円形断面でストレートに延びる脚部４８が設けられた形状とされており、銅（銅合金（例えば真鍮）も含む）等の金属材によって形成されている。そこにおいて、脚部４８の先端には、先端側に行くに従って次第に小径となるテーパ面５０が形成されている。なお、本実施形態では、脚部４８の先端は平坦面とされている。
【００３２】
また、遊技釘４２の脚部４８には、ローレット加工が施された抜止加工部としてのローレット加工部５２が設けられている。そこにおいて、本実施形態のローレット加工部５２は、螺旋状にローレット加工が施されたことによって形成されたものである。なお、ローレット加工部５２における螺旋の巻数や螺旋の傾斜角度等は、引抜強度やローレット加工部５２において必要とされる強度等に応じて、適宜設定変更されるものである。
【００３３】
また、上述の如き螺旋状のローレット加工が施されることにより、ローレット加工部５２の最大外径寸法：Ｒ２は、脚部４８においてローレット加工が施されていない部分の外径寸法：Ｒ３よりも大きくされている。因みに、本実施形態では、脚部４８においてローレット加工が施されていない部分の外径寸法：Ｒ３は、１．８５ｍｍとされている一方、ローレット加工部５２の最大外径寸法：Ｒ２は、２ｍｍとされている。即ち、本実施形態では、遊技釘４２の脚部４８においてローレット加工が施されていない部分の外径寸法：Ｒ３が、下穴４４の内径寸法：Ｒ１と同じとされているのである。なお、このような下穴４４の内径寸法：Ｒ１よりも最大外径寸法が大きいローレット加工部５２は、脚部４８が全長に亘って一定外径寸法を有する遊技釘４２に対して長手方向で部分的にローレット加工を施すことによって形成することが出来る。
【００３４】
また、ローレット加工部５２は、脚部４８の先端に形成されたテーパ面５０の大径端から所定距離だけ離れた位置から頭部４６側に向って所定長さに亘って形成されている。即ち、遊技釘４２には、ローレット加工部５２よりも先端側において、略一定の円形断面でストレートに延びるストレート部５４が形成されているのである。因みに、本実施形態では、ストレート部５４がテーパ面５０の大径端から４．３ｍｍの長さに亘って形成されていると共に、ローレット加工部５２がストレート部５４の終端（頭部４６側の端）から４．５ｍｍの長さに亘って形成されている。なお、本実施形態では、テーパ面５０が形成されている部分の軸方向長さは、０．７ｍｍとされている。
【００３５】
このような構造とされた遊技釘４２は、下穴４４に差し込まれることで、遊技板２６に取り付けられるようになっている。そこにおいて、本実施形態では、上述の如く、遊技釘４２が遊技板２６に差込固定された状態下において、遊技釘４２の先端面は、遊技板２６の裏面と同じ位置にある。これにより、下穴４４における遊技板２６の表面側開口から０．５ｍｍだけ入り込んだ位置にローレット加工部５２の頭部４６側の端が位置せしめられている。その結果、ローレット加工部５２の全体が下穴４４内に位置せしめられている。
【００３６】
上述の説明から明らかなように、本実施形態では、遊技釘４２においてローレット加工部５２の頭部４６側の端から０．５ｍｍだけ頭部４６側に移動した位置から先端までの部分によって差込部分が構成されている。即ち、差込部分に対して、遊技釘４２の下穴４４からの抜けを防止するローレット加工部５２が形成されているのである。また、本実施形態では、遊技板２６の板厚が１０ｍｍとされていることから、差込部分の長さも１０ｍｍとなる。従って、本実施形態では、ストレート部５４が差込部分の軸方向長さの１／３以上に亘って形成されていることとなる。
【００３７】
このような構造とされたパチンコ機１０においては、樹脂製の遊技板２６に取り付けられた遊技釘４２に対して、遊技領域３０を流下する遊技球が当たったり、或いは釘調整される場合等にも、かかる遊技釘４２が折れ難くなっている。そこにおいて、遊技釘４２が折れ難い理由としては、例えば、以下のようなことが考えられる。
【００３８】
（理由）
先ず、遊技板２６によって遊技釘４２に及ぼされる拘束力が軽減されることである。即ち、遊技釘４２は、遊技板２６の下穴４４への差込部分のうち、ローレット加工部５２だけで実質的に拘束されているに過ぎない。これは、遊技釘４２が下穴４４に差し込まれた際において、ローレット加工部５２の外周部分が下穴４４の内周面に食い込むことで動きが拘束されるようになっている一方、ストレート部５４は下穴４４内に挿通位置せしめられているだけで、ローレット加工部５２よりも動きが拘束されていないことに起因すると考えられる。それ故、遊技球の打ち当たりや釘調整等に際して遊技釘４２に軸直角方向の外力が及ぼされた際にも、例えば差込部分が全長に亘って下穴４４に拘束固定される場合に比して、軸直角方向で遊技釘４２に及ぼされる拘束力が軽減されて、遊技釘４２における局部的な応力集中が緩和されると考えられる。特に、遊技釘４２において遊技板２６による拘束力が及ぼされる部分の軸方向長さが小さくされていることから、遊技釘４２に対して軸直角方向に及ぼされる外力に対する反力としてのモーメントが小さく抑えられて、遊技釘４２における曲げ方向の応力発生が軽減されると考えられる。
【００３９】
上述の如き理由により、遊技板２６に取り付けられた遊技釘４２において、遊技領域３０を流下する遊技球が当たったり、或いは、釘調整をすることによって、遊技釘４２に外力が及ぼされた際にも、遊技釘４２がローレット加工部５２を中心に傾動し易くなっていると考えられる。これにより、遊技釘４２に対して外力が及ぼされた際の衝撃を吸収することが可能となる。その結果、樹脂製の遊技板２６に取り付けられた遊技釘４２が折れ難くなっているものと考えられる。
【００４０】
また、本実施形態では、遊技釘４２の下穴４４への差込部分において、頭部４６側にローレット加工部５２が形成されていることから、遊技釘４２に対して外力が及ぼされる部分と、ローレット加工が施されている部分とそうでない部分との頭部４６側の境界との離隔距離を短くすることが可能となる。これにより、外力が及ぼされた際に、ローレット加工が施されている部分とそうでない部分との境界に及ぼされる応力を軽減することが可能となる。その結果、樹脂製の遊技板２６に取り付けられた遊技釘４２を折れ難くすることが可能となる。
【００４１】
また、本実施形態では、遊技釘４２においてローレット加工部５２よりも先端にストレート部５４が形成されていることから、遊技釘４２を下穴４４に差し込む作業において、下穴４４の内径寸法よりも最大外径寸法が大きくされたローレット加工部５２が下穴４４に差し込まれる際の抵抗力が作用する時間を短くすることが可能となる。その結果、遊技釘４２を下穴４４に差し込む作業をスムーズに行うことが可能となる。
【００４２】
特に、本実施形態では、ストレート部５４が遊技釘４２の差込部分の１／３以上の長さに亘って形成されていることから、遊技釘４２を下穴４４に差し込む作業を一層スムーズに行うことが可能となる。
【００４３】
また、本実施形態では、ストレート部５４が差込部分の１／３以上の長さに亘って形成されていることから、遊技釘４２の動きが拘束される部分、即ち、ローレット加工部５２の長さ（差込部分に対してローレット加工部５２が占める割合）を相対的に短くすることが可能となる。これにより、外力が及ぼされた際において、遊技釘４２が一層傾動しやすいようにすることが可能となる。
【００４４】
更にまた、本実施形態では、遊技釘４２の先端が遊技板２６の裏面から突出していないことから、遊技板２６の裏面をフラットにすることが可能となり、それによって、例えば、製造時に遊技盤１６を取り扱い易くすることが可能となる。また、遊技釘４２の先端が遊技板２６の裏面から突出していない、即ち、遊技釘４２が裏面ギリギリまで差し込まれていることから、下穴４４が中実状態となり、したがって液晶表示器４０の光が下穴４４内に入り込んで乱反射することを防止でき、よって遊技板２６を介した表示が滲むこと等を防止できる。
【００４５】
続いて、本発明の第二の実施形態について、図６に基づいて、説明する。なお、以下の説明において、第一の実施形態と同様な構造とされた部材及び部位については、図中に、第一の実施形態と同一の符号を付すことにより、それらの詳細な説明を省略する。
【００４６】
すなわち、本実施形態のパチンコ機は、第一の実施形態のパチンコ機（１０）に比して、下穴５６の形状が異なっていると共に、遊技釘５８においてローレット加工部５２が形成されている位置が異なっている。
【００４７】
より詳細には、本実施形態の下穴５６は、軸方向中間部分に形成された円環形状の段差部６０を挟んで小径部６２と大径部６４が同一中心軸上に形成された段付き穴形状とされている。そこにおいて、本実施形態では、大径部６４が遊技板２６の裏面側に開口位置せしめられている。
【００４８】
なお、遊技板２６への下穴５６の形成方法としては、金属や木材に段付き穴を形成する場合と同様な方法が採用される。具体的には、例えば、小径部分と大径部分を有する段付きドリルを用いて、段付き穴（大径部６４と小径部６２を有する下穴５６）を一回の穴あけ作業で形成する方法等が採用される。勿論、先に小径部６２を形成しておき、その後、大径部６４を形成することにより、段付き穴（大径部６４と小径部６２を有する下穴５６）を二回の穴あけ作業で形成することも可能である。
【００４９】
また、本実施形態の遊技釘５８は、テーパ面５０の大径端から２．８ｍｍだけ頭部４６側に移動した位置から頭部４６側に向けて４．５ｍｍの長さに亘ってローレット加工部５２が形成されている。即ち、本実施形態では、ローレット加工部５２よりも先端に形成されたストレート部５４の長さが２．８ｍｍとされているのである。
【００５０】
このような構造とされた遊技釘５８が、上述の如き下穴５６の小径部６２側から差し込まれることで、遊技釘５８が遊技板２６に取り付けられるようになっている。そこにおいて、本実施形態では、遊技釘５８が遊技板２６に取り付けられた状態で、ローレット加工部５２における頭部４６側の端が下穴５６の表側開口から２ｍｍだけ入り込んだ位置にあると共に、ローレット加工部５２の全体が小径部６２内に位置せしめられている。即ち、本実施形態では、ローレット加工部５２が下穴５６（遊技板２６）の略中間部に配置されているのである。また、本実施形態では、上述の如く、遊技釘５８が遊技板２６に取り付けられた状態で、ストレート部５４が大径部６４内に位置せしめられていると共に、遊技釘４２の先端が大径部６４内に位置せしめられている。
【００５１】
このような構造とされた本実施形態のパチンコ機においては、遊技釘５８が、遊技板２６の下穴５６への差込部分のうち、下穴５６の小径部６２だけで実質的に拘束されているに過ぎないことから、第一の実施形態と同様な効果を得ることが可能となる。
【００５２】
特に、本実施形態では、ストレート部５４が大径部６４内に位置せしめられていることから、外力が及ぼされた際において、遊技釘５８が一層傾動しやすいようにすることが可能となる。
【００５３】
以上、本発明の幾つかの実施形態について詳述してきたが、これらはあくまでも例示であって、本発明は、かかる実施形態における具体的な記載によって、何等、限定的に解釈されるものではない。
【００５４】
例えば、前記第二の実施形態では、大径部６４と小径部６２は同一中心軸上に形成されていたが、大径部６４と小径部６２は、必ずしも同一中心軸上に形成されている必要はなく、大径部６４と小径部６２の何れか一方が他方に対して偏心位置せしめられていても良い。これにより、例えば、遊技球が当たる側において大径部６４の内周面と遊技釘４２との隙間を広く設定して、遊技球が当たった際において、遊技釘４２を一層折れ難くすることが可能となる。
【００５５】
また、前記第二の実施形態において、小径部６２と大径部６４は、必ずしも同じ方向に延びている必要はなく、例えば、小径部６２を所定の方向に所定角度傾斜して延びるようにする一方、大径部６４を遊技板２６の板厚方向に延びるようにしても良い。その際、小径部６２は、炭酸ガスレーザ等のレーザで形成することが望ましく、それによって、所定方向に所定角度傾斜した状態で延びる小径部６２を有利に形成することが可能となる。
【００５６】
さらに、前記第一及び第二の実施形態では、全体が樹脂材料（アクリル樹脂にゴム材料を混ぜたもの）によって形成されている遊技板２６を備えるパチンコ機１０に対して本発明を適用したものの一具体例が示されていたが、本発明は、例えば、一部が樹脂材料（樹脂材料にゴム材料を混ぜたものでも良い）によって形成されていると共に、その他の部分がラワン材等によって形成されている遊技板を備えるパチンコ機に対しても、勿論、適用可能である。
【００５７】
また、前記第一及び第二の実施形態では、液晶表示器４０が遊技板２６の裏側に設けられていたが、液晶表示器４０が遊技板２６の裏側に設けられている必要はない。
【００５８】
更にまた、ローレット加工部５２における頭部４６側の端の位置は、下穴４４内であれば、特に限定されるものではないが、遊技板２６の表面側の開口から１．５ｍｍ〜３．０ｍｍの範囲内にあることが望ましい。これにより、外力が及ぼされた際において、遊技釘４２を折れ難くすることが可能となる。
【００５９】
また、ローレット加工部５２の軸方向長さは、ローレット加工部５２の最大外径寸法：Ｒ２が２ｍｍの場合、差込部分の軸方向長さに対して、４０〜４５％の割合であることが望ましい。これにより、引抜強度を確保しつつ、外力が及ぼされた際において、遊技釘４２を折れ難くすることが可能となる。
【００６０】
また、ローレット加工部５２の最大外径寸法：Ｒ２は、前記第一及び第二の実施形態のものに限定されることはなく、例えば、遊技釘４２，５８の引抜強度を確保するために、ローレット加工部５２の最大外径寸法：Ｒ２を大きくしても良い。
【００６１】
その他、一々列挙はしないが、本発明は、当業者の知識に基づいて、種々なる変更，修正，改良等を加えた態様において実施され得るものであり、また、そのような実施態様が、本発明の趣旨を逸脱しない限り、何れも、本発明の範囲内に含まれるものであることは、言うまでもない。
【図面の簡単な説明】
【００６２】
【図１】本発明の第一の実施形態としてのパチンコ機を示す正面図である。
【図２】図１に示されたパチンコ機に採用されている遊技盤を示す正面図である。
【図３】図２に示された遊技盤を構成する遊技板に下穴があけられた状態を示す断面図である。
【図４】図２に示された遊技盤を構成する遊技板に打ち込まれる遊技釘を示す図面である。
【図５】図２に示された遊技盤を構成する遊技板に遊技釘が打ち込まれた状態を示す断面図である。
【図６】本発明の第二の実施形態としてのパチンコ機に採用されている遊技盤を構成する遊技板に遊技釘が打ち込まれている状態を示す断面図である。
【符号の説明】
【００６３】
１０  パチンコ機
１６  遊技盤
２６  遊技板
４２  遊技釘
４４  下穴
５２  ローレット加工部
５４  ストレート部
【図１】
2007105307.tif 000003
【図２】
2007105307.tif 000004
【図３】
2007105307.tif 000005
【図４】
2007105307.tif 000006
【図５】
2007105307.tif 000007
【図６】
2007105307.tif 000008